(57)【要約】【課題】提供する地図においてウェブページで出現頻度の高い地名の表示態様を調整することにより、話題となっている地域に関する情報を提供する。【解決手段】コンピュータが、予め前記コンピュータに蓄積され、通信ネットワーク上で配信されているウェブページに出現した地名を抽出する地名抽出ステップと、前記抽出した地名毎に、該地名が前記ウェブページに出現した回数を示す出現回数をカウントし、該出現回数に応じて提供する地図における地名の表示属性を変更することにより、前記地名の表示態様を調整する地名表示態様調整ステップと、を少なくとも実行する。【選択図】図１
2010003256.tif 000002
【特許請求の範囲】
【請求項１】
コンピュータが、
予め前記コンピュータに蓄積され、通信ネットワーク上で配信されているウェブページに出現した地名を抽出する地名抽出ステップと、
前記抽出した地名毎に、該地名が前記ウェブページに出現した回数を示す出現回数をカウントし、該出現回数に応じて提供する地図における地名の表示属性を変更することにより、前記地名の表示態様を調整する地名表示態様調整ステップと、
を少なくとも実行することを特徴とする地名表示態様調整方法。
【請求項２】
前記地図における地名に対するイベントを検知した際に、該地名をキーワードとする検索を行い、その検索結果を提供する検索ステップをさらに実行することを特徴とする請求項１に記載の地名表示態様調整方法。
【請求項３】
前記出現回数が小さいほど、提供する地図における地名の大きさを小さくすることを特徴とする請求項１に記載の地名表示態様調整方法。
【請求項４】
通信ネットワーク上で配信されているウェブページを蓄積するウェブページ蓄積手段と、
前記ウェブページ蓄積手段に蓄積されたウェブページに出現した地名を抽出する地名抽出手段と、
前記地名抽出手段が抽出した地名毎に、該地名が前記ウェブページに出現した回数を示す出現回数をカウントし、該出現回数に応じて提供する地図における地名の表示属性を変更することにより、前記地名の表示態様を調整する地名表示態様調整手段と、
前記地名表示態様調整手段で調整された地図を送信する地図送信手段と、
を備えることを特徴とする地名表示態様調整装置。
【請求項５】
地図の閲覧要求を受付ける閲覧要求受付手段と、
通信ネットワーク上で配信されているウェブページを蓄積するウェブページ蓄積手段と、
前記ウェブページ蓄積手段に蓄積されたウェブページに出現した地名を抽出する地名抽出手段と、
前記地名抽出手段が抽出した地名毎に、該地名が前記ウェブページに出現した回数を示す出現回数をカウントし、該出現回数に応じて前記閲覧要求のあった地図における地名の表示属性を変更することにより、前記地名の表示態様を調整する地名表示態様調整手段と、
前記地名表示態様調整手段で調整された地図を出力する地図出力手段と、
を備えることを特徴とする地名表示態様調整システム。
【発明の詳細な説明】
【技術分野】
【０００１】
本発明は、通信ネットワーク上に配信される地図における地名の表示態様を調整する地名表示態様調整方法、地名表示態様調整装置及び地名表示態様調整システムに関する。
【背景技術】
【０００２】
近年、複数の地図情報提供サイトが存在しており、これらの地図情報提供サイトの中には、目的とする地域の地図情報だけでなく、当該地域にあるお店や病院等の情報を提供しているものもある。
【非特許文献１】［ｏｎｌｉｎｅ］、Ｙａｈｏｏ！地図、［２００８年６月４日検索］、インターネット＜ＵＲＬ：ｈｔｔｐ：／／ｍａｐ．ｙａｈｏｏ．ｃｏ．ｊｐ／＞
【発明の開示】
【発明が解決しようとする課題】
【０００３】
しかしながら、上記従来例の地図情報提供サイトにおいても、話題となっている地域に関する情報を提供するものはない。すなわち、ニュース記事、ブログ等のウェブページにおいて話題となっている地域がどこであるかを一見して把握できるユーザインターフェースは提供されていない。
【０００４】
本発明は、このような事情を考慮して提案されるものであり、提供する地図においてウェブページで出現頻度の高い地名の表示態様を調整することにより、話題となっている地域に関する情報を提供することができる地名表示態様調整方法、地名表示態様調整装置及び地名表示態様調整システムを提供することを目的とする。
【課題を解決するための手段】
【０００５】
上記目的を達成するために、本発明者は、通信ネットワーク上に配信される地図における地名の表示態様を所定のルールによって調整する仕組みを見出し、本発明を想到するに至った。
【０００６】
本発明に係る地名表示態様調整方法は、予め定められた一定のルールに従って地図上においてウェブページで出現頻度の高い地名の表示態様を調整することにより、話題となっている地域に関する情報を提供するものである。
【０００７】
（１）コンピュータが、
予め前記コンピュータに蓄積され、通信ネットワーク上で配信されているウェブページに出現した地名を抽出する地名抽出ステップと、
前記抽出した地名毎に、該地名が前記ウェブページに出現した回数を示す出現回数をカウントし、該出現回数に応じて提供する地図における地名の表示属性を変更することにより、前記地名の表示態様を調整する地名表示態様調整ステップと、
を少なくとも実行することを特徴とする地名表示態様調整方法。
【０００８】
（１）の発明によれば、ウェブページに出現する地名の出現回数に応じて提供する地図における地名の表示属性を変更することにより、前記地名の表示態様を調整するので、以下の効果を奏する。
【０００９】
すなわち、前記出現回数が多い地名は話題となっている地名であると判断して、その地名の表示態様を変更することができる。この場合の表示態様としては、例えば、出現回数に応じて地名の文字の大きさ（フォントサイズ）、色彩、フォントタイプ等（ゴシック、イタリック等）を変更することが考えられる。また、出現回数に応じて、地名と併せて出現回数に応じた棒グラフ等のアイコンを表示するようにしてもよい。これによると、地図を閲覧したユーザは一見して話題となっている地名を視認することができる。
【００１０】
（２）前記地図における地名に対するイベントを検知した際に、該地名をキーワードとする検索を行い、その検索結果を提供する検索ステップをさらに実行することを特徴とする（１）に記載の地名表示態様調整方法。
【００１１】
（２）の発明によれば、表示態様が調整された地名に対するイベントを検知した際に、すなわち、話題となっている地名に対するイベントを検知した際に、該地名をキーワードとする検索を行うので、該地名を話題としているウェブページを検索（逆引き）することができる。ここで、イベントとしては、例えば、前記地名がマウスポインター等のポインティングデバイスによってクリック等された場合が該当する。
【００１２】
（３）前記出現回数が小さいほど、提供する地図における地名の大きさを小さくすることを特徴とする（１）に記載の地名表示態様調整方法。
【００１３】
（３）の発明によれば、前記出現回数が小さいほど、提供する地図における地名の大きさを小さくするので、出現回数の大きい地名の大きさが相対的に大きくなる。このため、出現回数の大きい地名、すなわち、話題となっている地名が重なって視認できなくなることを防止することができる。
【００１４】
（４）通信ネットワーク上で配信されているウェブページを蓄積するウェブページ蓄積手段と、
前記ウェブページ蓄積手段に蓄積されたウェブページに出現した地名を抽出する地名抽出手段と、
前記地名抽出手段が抽出した地名毎に、該地名が前記ウェブページに出現した回数を示す出現回数をカウントし、該出現回数に応じて提供する地図における地名の表示属性を変更することにより、前記地名の表示態様を調整する地名表示態様調整手段と、
前記地名表示態様調整手段で調整された地図を送信する地図送信手段と、
を備えることを特徴とする地名表示態様調整装置。
【００１５】
（５）地図の閲覧要求を受付ける閲覧要求受付手段と、
通信ネットワーク上で配信されているウェブページを蓄積するウェブページ蓄積手段と、
前記ウェブページ蓄積手段に蓄積されたウェブページに出現した地名を抽出する地名抽出手段と、
前記地名抽出手段が抽出した地名毎に、該地名が前記ウェブページに出現した回数を示す出現回数をカウントし、該出現回数に応じて前記閲覧要求のあった地図における地名の表示属性を変更することにより、前記地名の表示態様を調整する地名表示態様調整手段と、
前記地名表示態様調整手段で調整された地図を出力する地図出力手段と、
を備えることを特徴とする地名表示態様調整システム。
【発明の効果】
【００１６】
この発明によれば、ウェブページに出現する地名の出現回数に応じて提供する地図における地名の表示属性を変更するため、一見して話題となっている地名を視認することができ、話題となっている地域に関する情報を提供することができる。
【発明を実施するための最良の形態】
【００１７】
以下、本発明を実施するための最良の形態について図を参照しながら説明する。なお、これはあくまでも一例であって、本発明の技術的範囲はこれに限られるものではない。
【００１８】
［地名表示態様調整装置と関連要素の全体構成］
図１は、本実施形態に係る地名表示態様調整装置１と関連要素の全体構成を示す図である。
【００１９】
本実施形態に係る地名表示態様調整装置１及びユーザ端末２は、インターネット等の通信ネットワークＮに接続されている。ネットワークＮとの接続は有線であると無線であるとを問わない。
【００２０】
地名表示態様調整装置１は、通信ネットワークＮ上に接続されたユーザ端末２から、地図の閲覧要求を受付けて、閲覧要求のあった地図の画像を少なくとも含む地図情報を返信する。
【００２１】
ユーザ端末２は、地図情報を閲覧するユーザが利用する情報処理装置であって、一般的なコンピュータが該当する。
【００２２】
［地名表示態様調整装置の機能構成］
図２は、本実施形態に係る地名表示態様調整装置１の機能構成の概要を示す図である。本実施形態に係る地名表示態様調整装置１は、ウェブページ蓄積手段１１と、地名抽出手段１２と、地名表示態様調整手段１３と、地図送信手段１４と、閲覧要求受付手段１８と、を備える。
【００２３】
ウェブページ蓄積手段１１は、通信ネットワーク上で配信されているウェブページを蓄積する。ウェブページ蓄積手段１１としては、例えば、全文検索型サーチエンジンの検索データベースを作成するためにウェブページをダウンロードする検索ロボット等が該当する。また、ウェブページ蓄積手段には、地名表示態様調整装置１が通信ネットワーク上に配信するウェブページを蓄積してもよい。地名表示態様調整手段１３は、後述する所定のルールに基づいてウェブページ蓄積手段１１に蓄積されたウェブページに出現した地名の出現回数をカウントする。ここで、ウェブページデータベースは、ウェブページ記憶手段の一部を構成している。ウェブページデータベースの詳細については後述する。
【００２４】
地名抽出手段１２は、ウェブページ蓄積手段１１に蓄積されたウェブページに出現する地名を抽出する。
【００２５】
地名表示態様調整手段１３は、閲覧要求受付手段１８が受付けた閲覧要求に対応する地図であって所定のルールに基づいて地名を調整したものを地図送信手段１４に渡す。ここで、地図データベース１６及び表示態様設定データベース１７は、地名表示態様調整手段１３の一部を構成している。地図データベース１６及び表示態様設定データベース１７の詳細については後述する。
【００２６】
地図送信手段１４は、地名表示態様調整手段１３から受け取った地図を閲覧要求のあったユーザ端末２に送信する。
【００２７】
閲覧要求受付手段１８は、ユーザ端末２から閲覧要求を受付けて、当該閲覧要求を地名表示態様調整手段１３に渡す。
【００２８】
［各種データベースと関連要素の構成］
図３は、ウェブページデータベース１５、地図データベース１６及び表示態様設定データベース１７と関連要素の構成の概要を示す図である。
【００２９】
ウェブページデータベース１５は、ページＩＤと、通信ネットワーク上で配信されているウェブページのＵＲＬ等の「通信アドレス」及びこの通信アドレスに対応するウェブページに含まれる「テキスト」と、をそれぞれ対応付けて記憶している。
【００３０】
地図データベース１６は、予め地図を構成する素領域の情報を記憶した地図テーブル１６１と、予め地名の位置情報を記憶する地名テーブル１６２と、ウェブページに出現した地名の回数を記憶するカウンターテーブル１６３と、を備える。
【００３１】
地図テーブル１６１は、予めページＩＤと、地図を構成する素領域としてのページファイルとを対応付けて記憶している。また、地図テーブル１６１は、１つのページＩＤに、１乃至複数の地名ＩＤを対応付けて記憶している。すなわち、１つのページＩＤに対応する素領域に、このページＩＤに関連付けられた地名ＩＤに対応する地名が含まれる。ここで、素領域としてのページファイルは、地図の一部を構成する画像ファイルである。図４は、地図を構成する素領域の地図上における位置関係を示す図である。
【００３２】
地名テーブル１６２は、予め地名ＩＤと、地名及びこの地名を表示する位置を示す「位置」とをそれぞれ対応付けて記憶している。本実施形態では、この「位置」を表す方法として、緯度及び経度を使用しているが、このほか、直交座標系、球座標系、円筒座標系の座標を使用してもよい。
【００３３】
カウンターテーブル１６３は、後述する地図情報出力処理において、地名ＩＤ毎に、すなわち、地名ＩＤに関連付けられた地名毎に、ウェブページにこの地名が出現した回数を示す出現回数を記憶している。
【００３４】
表示態様設定データベース１７は、予め設定ＩＤと、地名の出現回数の範囲としての「出現回数」及び地名の「表示態様」とをそれぞれ対応付けて記憶している。表示態様としては、例えば、出現回数に応じて地名の文字の大きさ（フォントサイズ）、色彩、フォントタイプ等（ゴシック、イタリック等）を変更することが考えられる。すなわち、出現回数が多いほど、文字の大きさ、色彩等に対応する値を増加又は減少させるような表示態様を割り当てる。また、出現回数に応じて、地名と併せて出現回数に応じた棒グラフ等のアイコンを表示するようにしてもよい。
【００３５】
［地図情報出力装置のハードウェア構成図］
図５は、本実施形態に係る地名表示態様調整装置１のハードウェア構成を示す図である。
【００３６】
地名表示態様調整装置１は、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インタフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０、並びに半導体メモリ３９０を備える。尚、ハードディスク３７０、光ディスクドライブ３８０、並びに、半導体メモリ３９０はまとめて記憶装置４１０と呼ばれる。
【００３７】
制御部３００は、地名表示態様調整装置１を統括的に制御する部分であり、ハードディスク３７０（後述）に記憶された各種プログラムを適宜読み出して実行することにより、上述したハードウェアと協働し、本発明に係る各種機能を実現している。
【００３８】
通信Ｉ／Ｆ３３０は、地名表示態様調整装置１が、インターネットＮ（図１）を介してユーザ端末２（＃１）〜２（＃Ｎ）等（図１）と情報を送受信する場合のネットワーク・アダプタである。通信Ｉ／Ｆ３３０は、モデム、ケーブル・モデム及びイーサネット（登録商標）・アダプタを含んでよい。
【００３９】
ＢＩＯＳ３５０は、地名表示態様調整装置１の起動時にＣＰＵ３１０が実行するブートプログラムや、地名表示態様調整装置１がハードウェアに依存するプログラム等を記録する。
【００４０】
Ｉ／Ｏコントローラ３６０には、ハードディスク３７０、光ディスクドライブ３８０、及び半導体メモリ３９０等の記憶装置４１０を接続することができる。
【００４１】
ハードディスク３７０は、本ハードウェアを地名表示態様調整装置１として機能させるための各種プログラム、本発明の機能を実行するプログラム及び後述するテーブル及びレコードを記憶する。なお、地名表示態様調整装置１は、外部に別途設けたハードディスク（図示せず）を外部記憶装置として利用することもできる。
【００４２】
光ディスクドライブ３８０としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク４００を使用する。光ディスク４００から光ディスクドライブ３８０によりプログラムまたはデータを読み取り、Ｉ／Ｏコントローラ３６０を介してメインメモリ３４０またはハードディスク３７０に提供することもできる。
【００４３】
なお、本発明でいうコンピュータとは、記憶装置、制御部等を備えた情報処理装置をいい、地名表示態様調整装置１は、記憶装置４１０、制御部３００等を備えた情報処理装置により構成され、この情報処理装置は、本発明のコンピュータの概念に含まれる。
【００４４】
この地名表示態様調整装置１では、制御部３００が主として地名表示態様調整手段１３に対応し、記憶装置４１０が主としてウェブページ蓄積手段に対応し、通信Ｉ／Ｆ３３０が主として閲覧要求受付手段１８及び地図送信手段１４に対応する。
【００４５】
［ユーザ端末のハードウェア構成］
ユーザ端末２も、上述の地名表示態様調整装置１と同様な構成を持つ。
【００４６】
［本発明の実施形態に係るフローチャート］
図６及び図７は、本発明の実施形態に係る地図情報出力処理のフローチャートを示している。
【００４７】
Ｓ１：ウェブページ蓄積手段１１は、ネットワーク上に配信されているウェブページをダウンロードし、このウェブページのＵＲＬを「通信アドレス」として、自動生成したページＩＤとこの通信アドレスとを対応付けてウェブページデータベースに記憶する。また、ウェブページ蓄積手段１１は、このページＩＤと、このウェブページに含まれるテキストとを関連付けて記憶する。ここで、ウェブページからテキストを抽出する方法としては、例えば、bodyタグ、titleタグ、listタグに含まれるテキストを抽出する方法が考えられる。特に、titleタグや、listタグに含まれるテキストには話題となっている重要語が含まれる可能性が高いので、titleタグや、listタグのテキストを抽出することによって、ウェブページにおいて話題となっている地名の出現回数をカウントする精度を高めることができる。また、ウェブページ蓄積手段１１は、所定のカテゴリの属するウェブページのみを選別して蓄積してもよい。カテゴリとしては、例えば、ニュースやブログ等が該当する。ニュースやブログは更新頻度が高く、話題となっている記事を取り上げる機会が多いので、ウェブページにおいて話題となっている地名の出現回数をカウントする精度を高めることができる。
【００４８】
Ｓ２：地名抽出手段１２は、ウェブページデータベース１５に記憶されているテキストから、地名テーブル１６２に記憶されている地名を抽出する。ここで、地名抽出手段１２は、ウェブページデータベース１５に所定の閾値以上のレコードが記憶された後に、地名を抽出することが統計上望ましい。
【００４９】
Ｓ３：地名表示態様調整手段１３は、地名抽出手段１２が抽出した地名に関連付けられた地名ＩＤ毎に、その地名の出現回数をカウントし、この地名ＩＤとこの出現回数とをカウンターテーブル１６３に対応付けて記憶する。
【００５０】
Ｓ４：閲覧要求受付手段１８は、ユーザ端末２から地図の閲覧要求を受付ける。閲覧要求には、少なくとも、閲覧領域を指定する緯度及び経度の範囲が含まれる。
【００５１】
Ｓ５：閲覧要求受付手段１８は、ユーザ端末２から受付けた閲覧要求を地名表示態様調整手段１３に渡す。
【００５２】
Ｓ６：地名表示態様調整手段１３は、閲覧要求受付手段１８から受け取った閲覧要求に含まれる経度及び緯度に対応する地図を地図テーブル１６１に記憶された素領域としてのページファイルを組み合せて生成する。地図の作成方法としては、例えば、隣接する位置関係にある素領域を組み合せた後、閲覧要求に含まれる緯度及び経度に対応する部分のみを表示するフレームを生成するようにしてもよい。
【００５３】
Ｓ７：地名表示態様調整手段１３は、Ｓ６の地図を構成する素領域のページＩＤに関連付けられた地名ＩＤと、同一の地名ＩＤをもつレコードを、カウンターテーブル１６３から検索する。
【００５４】
Ｓ８：地名表示態様調整手段１３は、検索条件を満たすレコードにおける出現回数に関連付けられた表示態様を表示態様設定データベース１７から抽出する。
【００５５】
Ｓ９：地名表示態様調整手段１３は、Ｓ７の地名ＩＤに関連付けられた地名及び位置を地名テーブル１６２から抽出する。
【００５６】
Ｓ１０：地名表示態様調整手段１３は、Ｓ６で生成した地図において、Ｓ９で抽出した地名を、Ｓ９で抽出した位置において、Ｓ８で抽出した表示態様で表示するように地名の表示態様を調整する。具体的には、地名表示態様調整手段１３は、Ｓ６で生成した地図において、Ｓ９で抽出した地名を、Ｓ９で抽出した位置において、Ｓ８で抽出した表示態様で表示するレイヤーを生成する。これによると、地名が属するレイヤーの属性を変更することにより、地名の表示態様を一括して変更することができる。また、レイヤーに配置する地名を、当該地名を検索条件とする所定の検索サーバへのリンク文字としてもよい。これによると、地名がマウスポインター等のポインティングデバイスによってクリック等された場合に、この地名にリンクされた検索サーバへこの地名を検索条件とする検索要求がユーザ端末２から送信され、その検索結果がこのユーザ端末２に返信される。すなわち、クリックした地名を話題としているウェブページを検索（逆引き）することができる。
【００５７】
Ｓ１１：表示態様調整手段１３は、地名の表示態様を変更した地図を地図送信手段１４に渡す。
【００５８】
Ｓ１２：地図送信手段１４は、表示態様調整手段１３から受け取った地図を閲覧要求のあったユーザ端末２に送信する。図８は、ユーザ端末２のディスプレイに表示された地図の一例を示す図である。この図によると、地名「池袋」の文字の大きさが他の地名より大きく表示されているので、ユーザは一見して「池袋」地区の話題が多いことを視認することができる。
【００５９】
以上説明したように、地名表示態様調整手段１３は、ウェブページに出現する地名の出現回数に応じて提供する地図における地名の表示属性を変更するので、地図を閲覧したユーザは一見して話題となっている地名を視認することができ、話題となっている地域に関する情報を提供することができる。また、地図情報提供サイトを運営する業者は、話題となっていない地域の地図情報を更新する頻度を低くして地図情報のメンテナンスコストを低く押さえることもできる。
【００６０】
以上、本発明の実施形態について説明したが、本発明は上述した実施形態に限るものではない。例えば、Ｓ８における検索サーバが実行する検索処理を本実施形態に係る地名表示態様調整装置１が行うようにしてもよい。
【００６１】
また、本発明の実施形態に記載された効果は、本発明から生じる最も好適な効果を列挙したに過ぎず、本発明による効果は、本発明の実施例に記載されたものに限定されるものではない。
【図面の簡単な説明】
【００６２】
【図１】本実施形態に係る地名表示態様調整装置と関連要素の全体構成を示す図である。
【図２】本実施形態に係る地名表示態様調整装置の機能構成の概要を示す図である。
【図３】本実施形態に係るウェブページデータベース、地図データベース及び表示態様設定データベースと関連要素の構成の概要を示す図である。
【図４】本実施形態に係る地図を構成する素領域の地図上における位置関係を示す図である。
【図５】本実施形態に係る地名表示態様調整装置のハードウェア構成を示す図である。
【図６】本発明の実施形態に係る地図情報出力処理のフローチャートを示している。
【図７】図６のフローチャートの続きである。
【図８】ユーザ端末のディスプレイに表示された地図の一例を示す図である
【符号の説明】
【００６３】
１  地名表示態様調整装置
２  ユーザ端末
１１  ウェブページ蓄積手段
１２  地名抽出手段
１３  地名表示態様調整手段
１４  地図送信手段
１５  ウェブページデータベース
１６  地図データベース
１７  表示態様設定データベース
１８  閲覧要求受付手段
【図１】
2010003256.tif 000003
【図２】
2010003256.tif 000004
【図３】
2010003256.tif 000005
【図４】
2010003256.tif 000006
【図５】
2010003256.tif 000007
【図６】
2010003256.tif 000008
【図７】
2010003256.tif 000009
【図８】
2010003256.tif 000010
【手続補正書】
【提出日】平成21年9月9日(2009.9.9)
【手続補正１】
【補正対象書類名】特許請求の範囲
【補正対象項目名】請求項５
【補正方法】変更
【補正の内容】
【請求項５】
地図の閲覧要求を受け付ける閲覧要求受付手段と、
通信ネットワーク上で配信されているウェブページを蓄積するウェブページ蓄積手段と、
前記ウェブページ蓄積手段に蓄積されたウェブページに出現した地名を抽出する地名抽出手段と、
前記地名抽出手段が抽出した地名毎に、該地名が前記ウェブページに出現した回数を示す出現回数をカウントし、該出現回数に応じて前記閲覧要求のあった地図における地名の表示属性を変更することにより、前記地名の表示態様を調整する地名表示態様調整手段と、
前記地名表示態様調整手段で調整された地図を出力する地図出力手段と、
を備えることを特徴とする地名表示態様調整システム。
【手続補正２】
【補正対象書類名】明細書
【補正対象項目名】００１５
【補正方法】変更
【補正の内容】
【００１５】
（５）地図の閲覧要求を受け付ける閲覧要求受付手段と、
通信ネットワーク上で配信されているウェブページを蓄積するウェブページ蓄積手段と、
前記ウェブページ蓄積手段に蓄積されたウェブページに出現した地名を抽出する地名抽出手段と、
前記地名抽出手段が抽出した地名毎に、該地名が前記ウェブページに出現した回数を示す出現回数をカウントし、該出現回数に応じて前記閲覧要求のあった地図における地名の表示属性を変更することにより、前記地名の表示態様を調整する地名表示態様調整手段と、
前記地名表示態様調整手段で調整された地図を出力する地図出力手段と、
を備えることを特徴とする地名表示態様調整システム。
【手続補正３】
【補正対象書類名】明細書
【補正対象項目名】００１９
【補正方法】変更
【補正の内容】
【００１９】
本実施形態に係る地名表示態様調整装置１及びユーザ端末２は、インターネット等の通信ネットワークＮに接続されている。通信ネットワークＮとの接続は有線であると無線であるとを問わない。
【手続補正４】
【補正対象書類名】明細書
【補正対象項目名】００２０
【補正方法】変更
【補正の内容】
【００２０】
地名表示態様調整装置１は、通信ネットワークＮ上に接続されたユーザ端末２から、地図の閲覧要求を受け付けて、閲覧要求のあった地図の画像を少なくとも含む地図情報を返信する。
【手続補正５】
【補正対象書類名】明細書
【補正対象項目名】００２３
【補正方法】変更
【補正の内容】
【００２３】
ウェブページ蓄積手段１１は、通信ネットワークＮ上で配信されているウェブページを蓄積する。ウェブページ蓄積手段１１としては、例えば、全文検索型サーチエンジンの検索データベースを作成するためにウェブページをダウンロードする検索ロボット等が該当する。また、ウェブページ蓄積手段１１には、地名表示態様調整装置１が通信ネットワークＮ上に配信するウェブページを蓄積してもよい。地名表示態様調整手段１３は、後述する所定のルールに基づいてウェブページ蓄積手段１１に蓄積されたウェブページに出現した地名の出現回数をカウントする。ここで、ウェブページデータベース（ＤＢ）１５は、ウェブページ記憶手段の一部を構成している。ウェブページデータベース１５の詳細については後述する。
【手続補正６】
【補正対象書類名】明細書
【補正対象項目名】００２５
【補正方法】変更
【補正の内容】
【００２５】
地名表示態様調整手段１３は、閲覧要求受付手段１８が受け付けた閲覧要求に対応する地図であって所定のルールに基づいて地名を調整したものを地図送信手段１４に渡す。ここで、地図データベース（ＤＢ）１６及び表示態様設定データベース（ＤＢ）１７は、地名表示態様調整手段１３の一部を構成している。地図データベース１６及び表示態様設定データベース１７の詳細については後述する。
【手続補正７】
【補正対象書類名】明細書
【補正対象項目名】００２７
【補正方法】変更
【補正の内容】
【００２７】
閲覧要求受付手段１８は、ユーザ端末２から閲覧要求を受け付けて、当該閲覧要求を地名表示態様調整手段１３に渡す。
【手続補正８】
【補正対象書類名】明細書
【補正対象項目名】００２９
【補正方法】変更
【補正の内容】
【００２９】
ウェブページデータベース１５は、ページＩＤと、通信ネットワークＮ上で配信されているウェブページのＵＲＬ等の「通信アドレス」及びこの通信アドレスに対応するウェブページに含まれる「テキスト」と、をそれぞれ対応付けて記憶している。
【手続補正９】
【補正対象書類名】明細書
【補正対象項目名】００３６
【補正方法】変更
【補正の内容】
【００３６】
地名表示態様調整装置１は、制御部３００を構成するＣＰＵ（Ｃｅｎｔｒａｌ  Ｐｒｏｃｅｓｓｉｎｇ  Ｕｎｉｔ）３１０（マルチプロセッサ構成ではＣＰＵ３２０等複数のＣＰＵが追加されてもよい）、バスライン２００、通信Ｉ／Ｆ（Ｉ／Ｆ：インタフェース）３３０、メインメモリ３４０、ＢＩＯＳ（Ｂａｓｉｃ  Ｉｎｐｕｔ  Ｏｕｔｐｕｔ  Ｓｙｓｔｅｍ）３５０、Ｉ／Ｏコントローラ３６０、ハードディスク３７０、光ディスクドライブ３８０及び半導体メモリ３９０を備える。尚、ハードディスク３７０、光ディスクドライブ３８０及び半導体メモリ３９０はまとめて記憶装置４１０と呼ばれる。
【手続補正１０】
【補正対象書類名】明細書
【補正対象項目名】００３８
【補正方法】変更
【補正の内容】
【００３８】
通信Ｉ／Ｆ３３０は、地名表示態様調整装置１が、通信ネットワークＮ（図１）を介してユーザ端末２（＃１）〜２（＃Ｎ）等（図１）と情報を送受信する場合のネットワーク・アダプタである。通信Ｉ／Ｆ３３０は、モデム、ケーブル・モデム及びイーサネット（登録商標）・アダプタを含んでよい。
【手続補正１１】
【補正対象書類名】明細書
【補正対象項目名】００４１
【補正方法】変更
【補正の内容】
【００４１】
ハードディスク３７０は、本ハードウェアを地名表示態様調整装置１として機能させるための各種プログラム、本発明の機能を実行するプログラム、後述するテーブル及びレコードを記憶する。なお、地名表示態様調整装置１は、外部に別途設けたハードディスク（図示せず）を外部記憶装置として利用することもできる。
【手続補正１２】
【補正対象書類名】明細書
【補正対象項目名】００４２
【補正方法】変更
【補正の内容】
【００４２】
光ディスクドライブ３８０としては、例えば、ＤＶＤ−ＲＯＭドライブ、ＣＤ−ＲＯＭドライブ、ＤＶＤ−ＲＡＭドライブ及びＣＤ−ＲＡＭドライブを使用することができる。この場合は各ドライブに対応した光ディスク４００を使用する。光ディスク４００から光ディスクドライブ３８０によりプログラム又はデータを読み取り、Ｉ／Ｏコントローラ３６０を介してメインメモリ３４０又はハードディスク３７０に提供することもできる。
【手続補正１３】
【補正対象書類名】明細書
【補正対象項目名】００４７
【補正方法】変更
【補正の内容】
【００４７】
Ｓ１：ウェブページ蓄積手段１１は、通信ネットワークＮ上に配信されているウェブページをダウンロードし、このウェブページのＵＲＬを「通信アドレス」として、自動生成したページＩＤとこの通信アドレスとを対応付けてウェブページデータベース１５に記憶する。また、ウェブページ蓄積手段１１は、このページＩＤと、このウェブページに含まれるテキストとを関連付けて記憶する。ここで、ウェブページからテキストを抽出する方法としては、例えば、bodyタグ、titleタグ、listタグに含まれるテキストを抽出する方法が考えられる。特に、titleタグや、listタグに含まれるテキストには話題となっている重要語が含まれる可能性が高いので、titleタグや、listタグのテキストを抽出することによって、ウェブページにおいて話題となっている地名の出現回数をカウントする精度を高めることができる。また、ウェブページ蓄積手段１１は、所定のカテゴリの属するウェブページのみを選別して蓄積してもよい。カテゴリとしては、例えば、ニュースやブログ等が該当する。ニュースやブログは更新頻度が高く、話題となっている記事を取り上げる機会が多いので、ウェブページにおいて話題となっている地名の出現回数をカウントする精度を高めることができる。
【手続補正１４】
【補正対象書類名】明細書
【補正対象項目名】００５０
【補正方法】変更
【補正の内容】
【００５０】
Ｓ４：閲覧要求受付手段１８は、ユーザ端末２から地図の閲覧要求を受け付ける。閲覧要求には、少なくとも、閲覧領域を指定する緯度及び経度の範囲が含まれる。
【手続補正１５】
【補正対象書類名】明細書
【補正対象項目名】００５１
【補正方法】変更
【補正の内容】
【００５１】
Ｓ５：閲覧要求受付手段１８は、ユーザ端末２から受け付けた閲覧要求を地名表示態様調整手段１３に渡す。
【手続補正１６】
【補正対象書類名】明細書
【補正対象項目名】００５７
【補正方法】変更
【補正の内容】
【００５７】
Ｓ１１：地名表示態様調整手段１３は、地名の表示態様を変更した地図を地図送信手段１４に渡す。
【手続補正１７】
【補正対象書類名】明細書
【補正対象項目名】００５８
【補正方法】変更
【補正の内容】
【００５８】
Ｓ１２：地図送信手段１４は、地名表示態様調整手段１３から受け取った地図を閲覧要求のあったユーザ端末２に送信する。図８は、ユーザ端末２のディスプレイに表示された地図の一例を示す図である。この図によると、地名「池袋」の文字の大きさが他の地名より大きく表示されているので、ユーザは一見して「池袋」地区の話題が多いことを視認することができる。